(57)【要約】 【課題】  本考案は、カンナ状を呈する削り器を用いて鰹節を削るに際して、削りに伴い当該鰹節が小さくなった状態においても、当該鰹節に対する保持が安全かつ確実に果たされるようにした新規の鰹節用保持具を提供するものである。【解決手段】  鰹節の形状を模した平面形状を呈しかつほぼ鰹節の大きさを有すると共に把持に適する程度の厚さを具えた保持具本体１の下面を平坦状に形成し、当該下面中央部に対して、ウレタンエストラマー製粘着シート２を取付け、当該粘着シート２を介して鰹節を密着保持させるように構成した鰹節用保持具。【選択図】  図１
0003126038.tif 000002
【実用新案登録請求の範囲】
【請求項１】
鰹節を密着保持可能とする大きさを具えかつ把持に適する程度の厚さを具えた保持具本体(１)に、ウレタンエストラマー製粘着シート(２)を取付け、当該粘着シート(２)を介して鰹節を密着保持させるように構成した鰹節用保持具。
【請求項２】
鰹節の形状を模した平面形状を呈しかつほぼ鰹節の大きさを有すると共に把持に適する程度の厚さを具えた保持具本体(１)の下面を平坦状に形成し、当該下面中央部に対して、ウレタンエストラマー製粘着シート(２)を取付け、当該粘着シート(２)を介して鰹節を密着保持させるように構成した鰹節用保持具。
【請求項３】
鰹節の形状を模した平面形状を呈しかつほぼ鰹節の大きさを有すると共に把持に適する程度の厚さを具えた保持具本体(１)の下面を平坦状に形成し、当該下面中央部に対して、ウレタンエストラマー製粘着シートを所要枚数に分割した形態の分割シート(2ａ)を取付け、当該粘着シート(2ａ)を介して鰹節を密着保持させるように構成した鰹節用保持具。
【請求項４】
ウレタンエストラマー製粘着シートの下面を、セパレーター(３)で剥離可能に覆うように構成した請求項１乃至請求項３の何れかに記載の鰹節用保持具。
【考案の詳細な説明】
【技術分野】
【０００１】
本考案はカンナ状を呈する削り器を用いて鰹節を削るに際して、削りに伴い当該鰹節が小さくなった状態においても、当該鰹節に対する保持が安全かつ確実に果たされるようにした鰹節用保持具に関する。
【背景技術】
【０００２】
従来のこの種保持具としては、鰹節の上面に食込ませるための多数の押さえ刃を、保持具の下面に列設したもの（例えば、特許文献１参照。）、或いは、鰹節の上面に食込ませるための針状の多数の刺入突片を、保持具の下面に設けたもの（例えば、特許文献２参照。）が存在する。
そして、このようなもの以外には、図６に示すように、矩形板状を呈する保持具Ｍの下面に鰹節抑止用波状部分Ｎを形成したものも存在する。
【０００３】
【特許文献１】実開昭５９−３６４００号公報
【特許文献２】実開昭５７−４３９９５号公報
【考案の開示】
【考案が解決しようとする課題】
【０００４】
上述したような従来の鰹節保持具であると、削りに基づき鰹節が次第に薄くなった際、そのグリップ作用が低下すると共に、鰹節が極めて薄くなるほど削ってしまった場合、当該保持具の保持用部分（上記した押さえ刃部分、刺入突片部分、或いは波板状部分）が削り器の刃に当たって破損させたり、或いは、保持用部分自体を欠損させてしまったり、というような事態を招きがちであった。
【０００５】
本考案は、従来の鰹節保持具において生じた上記問題点を解決するようにした新規の鰹節保持具を提供するものである。
【課題を解決するための手段】
【０００６】
請求項1に記載した本考案は、鰹節を密着保持可能とする大きさを具えかつ把持に適する程度の厚さを具えた保持具本体１に、ウレタンエストラマー製粘着シート２を取付け、当該粘着シート２を介して鰹節を密着保持させるように構成した鰹節用保持具に係るものである。
【０００７】
そして、請求項２に記載した本考案は、鰹節の形状を模した平面形状を呈しかつほぼ鰹節の大きさを有すると共に把持に適する程度の厚さを具えた保持具本体１の下面を平坦状に形成し、当該下面中央部に対して、ウレタンエストラマー製粘着シート２を取付け、当該粘着シート２を介して鰹節を密着保持させるように構成した鰹節用保持具である。
【０００８】
更に、請求項３に記載した本考案は、鰹節の形状を模した平面形状を呈しかつほぼ鰹節の大きさを有すると共に把持に適する程度の厚さを具えた保持具本体１の下面を平坦状に形成し、当該下面中央部に対して、ウレタンエストラマー製粘着シートを所要枚数に分割した形態の分割シート2ａを取付け、当該粘着シート2ａを介して鰹節を密着保持させるように構成した鰹節用保持具である。
【０００９】
また、請求項４に記載したように、ウレタンエストラマー製粘着シートの下面を、セパレーター３で剥離可能に覆うように構成した請求項１乃至請求項３の何れかに記載の鰹節用保持具を本考案の実施の態様とするものである。
【考案の効果】
【００１０】
本考案に係る鰹節用保持具は、請求項１に記載のような構成、すなわち、鰹節を密着保持可能とする大きさを具えかつ把持に適する程度の厚さを具えた保持具本体１に、ウレタンエストラマー製粘着シート２を取付け、当該粘着シート２を介して鰹節を密着保持させるように構成したから、当該ウレタンエストラマー製粘着シート２による鰹節の安定保持が図られると共に、着脱の自在性を具えた取り付け目的が果される。  従って、例えば薄くなって持ち難い状態の鰹節であっても、保持具本体１の下面に密着保持させることによって、安全なる削り作業を行うことができる。  そして、鰹節を削りすぎて、当該ウレタンエストラマー製粘着シート２部分が鰹節削り具Ａの刃に例え当たったとしても、当該粘着シート２自体の柔軟性に基づき、既述したような従来品に於いて生じた刃を破損させたりすることがない。  そして、従来品において生じた刃で保持用部分自体を欠損させたりするような事態も、本考案にあっては、粘着シート２が固有する柔軟性に基づきこれが削り取られてしまうようなことがない。
また、ウレタンエストラマー製粘着シート２自体が奏する弾力的変形に基づき、密着面のフィット性が図られるため、図６に示す従来品における鰹節抑止用波状部分に比し、鰹節の安定保持性が飛躍的に高まるものとなる。
【００１１】
本考案に係る鰹節用保持具は、請求項２に記載のような構成、すなわち、鰹節の形状を模した平面形状を呈しかつほぼ鰹節の大きさを有すると共に把持に適する程度の厚さを具えた保持具本体１の下面を平坦状に形成し、当該下面中央部に対して、ウレタンエストラマー製粘着シート２を取付け、当該粘着シート２を介して鰹節を密着保持させるように構成することにより、上記請求項１に記載したようなウレタンエストラマー製粘着シート２が奏する作用効果以外に、保持具本体自体の形状から、調理用製品としての興趣性を著しく高めると言うような目視的効果が生じることとなる。
更に、このような保持具本体１自体の形状を、鰹節を模した形状とすることにより、当該保持具本体１を把持した際に、実際の鰹節を把持したような感覚を醸し出すことができる。  そのため、図６に示す従来品のように鰹節が隠れて全く見えないような場合に生じる一種の手探り的作業というような不自然性が解消され、例え薄くなった鰹節であっても、通常の鰹節と同様な感覚でこれを削ることができる。
【００１２】
本考案に係る鰹節用保持具は、請求項３に記載のような構成、すなわち、鰹節の形状を模した平面形状を呈しかつほぼ鰹節の大きさを有すると共に把持に適する程度の厚さを具えた保持具本体１の下面を平坦状に形成し、当該下面中央部に対して、ウレタンエストラマー製粘着シートを所要枚数に分割した形態の分割シート2ａを取付け、当該粘着シート2ａを介して鰹節を密着保持させるように構成することにより、上記請求項１及び請求項２において記載した作用効果以外に、ウレタンエストラマー製粘着シートの経済的使用が果される。  すなわち、一枚ものの粘着シートを用いる場合に比して、局部的粘着に基づくウレタンエストラマー製粘着シート材料の使用量の最少化を図ることができるため、製造コストの低廉化が可能化される。
【００１３】
本考案に係る鰹節用保持具は、請求項４に記載のような構成、すなわち、ウレタンエストラマー製粘着シートの下面を、セパレーター３で剥離可能に覆うように構成することにより、不使用時におけるウレタンエストラマー製粘着シート表面に対するほこり付着等に基づく粘着性の劣化というような事態発生が防止される。
【考案を実施するための最良の形態】
【００１４】
図１に於いて、Ａは既存の鰹節削り器、Ｂは鰹節、Ｃは本考案に係る鰹節保持具であって、同図に矢印で示すように鰹節Ｂを当該保持具Ｃの下面に着脱自在に粘着することができるように構成したものである。
【００１５】
図２及び図３は本考案の基本的実施例を表したものである。  同図に於いて、１は把持に適する程度の厚さを具えた保持具本体であって、鰹節の形状を模した平面形状を有すると共に、下面を平坦状に形成してある。  そして当該保持具本体１の大きさは横軸方向の長さ１８センチメートル程度、縦軸方向の長さ５センチメートル程度、厚さ３センチメートル程度、すなわち本物の鰹節程度の大きさを備えており、素材は特に限定されないが、例えば木材又は硬質合成樹脂材料で形成することが想定される。
【００１６】
２は上記した保持具本体１の下面中央部分に取付けたウレタンエストラマー製粘着シートであって、鰹節Ｂの上面部分を密着させて固定するためのものである。  そして、当該粘着シート２の下面は、セパレーター３によって剥離可能に覆われている。
なお本考案で言う「密着保持」とは、鰹節Ｂが保持具本体１の下面に対して、削り作業時にはその結合性が保持されているも、当該削り作業後等にあっては、鰹節Ｂと保持具本体１との結合を手で剥がすことによって解消することができる程度の接合力を具えたものとする。  そして、このような密着保持性は、ウレタンエストラマーの固有する特性に依存するものである。
【００１７】
すなわち、上記したウレタンエストラマーであるが、これは通常振動吸収材用の樹脂として用いられているものであるが、当該材料は超低弾性と優れた粘着性を備えており、上下・左右・前後のあらゆる揺れに強いと共に、接着性能の反復性、すなわち、粘着面は傷が付かず水洗いして乾かせば粘着性の復活という事柄、更に、接着対象物（鰹節）に対する密着のフィット性が図られるという機能を有することに着眼し、本考案おいて鰹節を固定するための粘着シートとして採用したものである。
【００１８】
そして、保持具本体１の下面中央部分に対するウレタンエストラマー製粘着シート２の取付けであるが、これは当該粘着シート２自体の密着保持性（粘着性）に依存して取付けることができるが、これ以外、適宜の別個の接合手段に基づき取付けるように構成しても良い。然し乍、当該粘着シート２自体の密着保持性（粘着性）に依存して取付けるようにすることにより製造コスト低廉化と製造作業の簡易化が図られると共に、粘着シート２自体の着脱の自在性に基づき、反復使用に基づき劣化した粘着性復活させるための洗浄及び乾燥作業の簡便性が図られる。
【００１９】
なお、保持具本体１の下面中央部分に対するウレタンエストラマー製粘着シートの取付け形態であるが、これは図２に示すように一枚の大きな粘着シート２を取付ける以外、図４に示すように複数の分割状シート2ａを局部的に取付けるような形態で実施することも可能である。  また、当該シートの形状は上記のような矩形状形態以外に、図５に示すような円形状シート2ｂのような適宜の形状であっても可とする。
すなわち、本考案において重要な点は、粘着シートとしてウレタンエストラマー製シートを用いたことにある。  従って、鰹節の密着固定が図られるものであれば、ウレタンエストラマー製シート自体の形状及び枚数は任意なものであっても良い。
【００２０】
本考案の使用は、図１に示すように、既存の鰹節削り器Ａを用いて削る際、鰹節Ｂを同図に矢印で示すように当該削り器Ａの上面におくと共に、保持具本体１を、セパレーター３を剥離した状態にあるウレタンエストラマー製粘着シート２を、上記鰹節Ｂに対して同図に矢印で示すように押し付けることによって密着保持させて行うものである。  そして、特に、削って薄くなってしまった鰹節に対する削り作業を行う場合、その把持が保持具本体１を持って行うことができるため、手を滑らせて怪我をするというようなことが防止される。
【００２１】
なお、鰹節Ｂ自体の形状はその表面が不規則な凹凸が生じていたり、また、削る過程において形状が不規則な形状に変化しても、上記した密着保持に際しては、当該不規則形状にウレタンエストラマー製粘着シート２自体が奏する弾力的変形に基づき、密着面のフィット性が図られる。
【図面の簡単な説明】
【００２２】
【図１】本考案の使用状態を表した説明用斜視図である。
【図２】本考案の底面図である。
【図３】本考案の正面図である。
【図４】本考案の他の実施例を表した底面図である。
【図５】本考案の更なる他の実施例を表した底面図である。
【図６】従来の鰹節保持具を表した斜視図である。
【符号の説明】
【００２３】
Ａ  既存の鰹節削り器
Ｂ  鰹節
Ｃ  鰹節保持具
１  保持具本体
２  ウレタンエストラマー製粘着シート
３  セパレーター
2ａ  分割状シート
2ｂ  円形状シート
【図１】
0003126038.tif 000003
【図２】
0003126038.tif 000004
【図３】
0003126038.tif 000005
【図４】
0003126038.tif 000006
【図５】
0003126038.tif 000007
【図６】
0003126038.tif 000008